【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
プラグを抜き差しするプラグ受けと、  前記プラグ受けに給電する電路の途中に設けられて前記電路を開閉する電路開閉手段と、  所定の鍵と、  前記所定の鍵を差し込んで第１の錠位置および第２の錠位置のいずれかに切り換えた際に可動する可動部と、を備えており、  前記所定の鍵が第１の錠位置にあるときには前記電路を閉にして前記プラグ受けに給電するように、かつ前記所定の鍵が第２の錠位置にあるときには前記電路を開にして前記プラグ受けへの給電を停止するように、前記可動部が前記電路開閉手段を作動させるように構成されていることを特徴とする屋外用コンセント。
【請求項２】
前記電路開閉手段がリミットスイッチであることを特徴とする請求項１に記載の屋外用コンセント。
【請求項３】
プラグを抜き差しするプラグ受けと、  前記プラグ受けに給電する電路の途中に設けられて前記電路を接続／遮断する電路開閉手段と、  前記電路開閉手段を制御する制御装置と、  所定の鍵と、  前記所定の鍵を差し込んで第１の錠位置および第２の錠位置のいずれかに切り換えた際に可動する可動部と、  前記可動部の所定部分を検出して第２の錠位置であることを検出する錠位置検出センサと、を備えており、  前記錠位置検出センサが前記第２の錠位置であることを検出した場合には、前記電路を遮断して前記プラグ受けへの給電を停止するように、前記制御装置が前記継電器を制御することを特徴とする屋外用コンセントシステム。 
【手続補正２】
【補正対象書類名】明細書
【補正対象項目名】全文
【補正方法】変更
【補正の内容】
【発明の詳細な説明】
【発明の名称】屋外用コンセント、屋外用コンセントシステム
【技術分野】
【０００１】  本発明は、プラグインハイブリット車、プラグイン電気自動車、自動販売機、カーポートの照明、芝刈り機等の電気機器等に対する電気供給のために、屋外壁面等に固定される屋外用コンセントに関するものである。
【背景技術】
【０００２】  近年、プラグインハイブリット自動車、プラグイン電気自動車が開発され、上記自動車は、屋外壁面等に固定される屋外コンセントから給電することが可能になった。しかし、上記屋外コンセントは盗電に合い易く、その対策の一例として、屋内に設置された遮断器（例えば、ノーヒューズ配線用遮断器）をいちいち遮断することが必要であった。そこで、遮断器を遮断せずとも、盗電を防止するものが特許出願されている。上記遮断器は、通常、屋内に設置されている。【０００３】  例えば、屋外壁面に固定される取付プレートと、電源プラグ差し込み口を取り込む庇部を有し、取付プレートを方位する防水部材で水封されて、取付プレートに対してねじ止めされるコンセント本体と、電源プラグ差し込み口に差し込まれた電源プラグを包囲するための盗電防止カバーと、取付プレートにおけるコンセント本体ねじ止め用のねじ孔を利用して盗電カバをコンセント本体に取り外し可能に止着するカバー止着手段を備えたものが出願されている。（例えば、特許文献１参照）。【０００４】  上記特許文献１のものは、カバーを六角ボルトで止着するか、あるいは凹部が形成されたカバーをボルトで止着した後に、コルクなどからなる栓体で凹部に圧入するか、あるいは凹部が形成されたカバーに弾性係止片を設け、この弾性係止片に栓体を圧入するようにしている。【０００５】  また、車両用バッテリに充電を行うとき、電力線を使って充電制御ＥＣＵとＩＤボックスとの間で認証を行い、認証が成立することを条件にバッテリへの充電を許可するものが出願されている。（例えば、特許文献２参照）。
【先行技術文献】
【特許文献】
【０００６】
【特許文献１】特開２００５−２５９４１１号公報
【特許文献２】特開２００８−６１４３２号公報
【発明の概要】
【発明が解決しようとする課題】
【０００７】  しかし、特許文献１の野外コンセント用の盗難防止装置は、カバーを六角ボルトで止着する場合では、市販されている六角レンチを用いて屋外側から容易に六角ボルト、カバーを取り外すことができる。また、凹部が形成されたカバーをボルトで止着した後にコルクなどからなる栓体で凹部に圧入する場合においても、鋭利な刃具、ドライバ等で栓体を外すことは容易であり、屋外側から容易に栓体、六角ボルト、カバーを取り外すことができる。さらに、凹部が形成されたカバーに弾性係止片を設け、この弾性係止片に栓体を圧入するようにした場合も、同様に、栓体を容易に取り外すことができる。このため、上記いずれの場合も、盗電が容易に行える問題点があった。【０００８】  また、特許文献２の充電システムは、充電制御ＥＣＵとＩＤボックスとの間で認証を行うことで盗電を防止するものであるが、この構成を有さない電気機器（例えば、自動販売機、カーポートの照明、芝刈り機、電気自動車用蓄電池に充電する充電装置等）、電気自動車を使用すること、電気の盗難を低減することを両立することができなかった。【０００９】  本発明は上記点に鑑み、電気の盗難を低減するとともに、電気自動車および電気機器の両方が使用できる屋外用コンセント、屋外用コンセントシステムのいずれかを提供することを目的とする。
【課題を解決するための手段】
【００１０】  本発明は、上記目的を達成するために、請求項１に記載の発明では、プラグを抜き差しするプラグ受けと、  プラグ受けに給電する電路の途中に設けられて電路を開閉する電路開閉手段と、  所定の鍵と、  所定の鍵を差し込んで第１の錠位置および第２の錠位置のいずれかに切り換えた際に可動する可動部と、を備えており、  所定の鍵が第１の錠位置にあるときには電路を閉にしてプラグ受けに給電するように、かつ所定の鍵が第２の錠位置にあるときには電路を開にしてプラグ受けへの給電を停止するように、可動部が電路開閉手段を作動させるように構成されていることを特徴とする。【００１１】  これによれば、鍵を用いて第１の錠位置にすると、電路開閉手段により、プラグ受けに給電することができる。また、鍵を用いて第２の錠位置にすると、電路開閉手段により、プラグ受けへの給電を停止することができる。つまり、プラグ受けに給電するには、鍵が必要になるため、電気の盗難を低減することができる。給電を停止するときには、錠前の第２の錠位置にする。また、鍵で通電、遮断を行うので、充電制御ＥＣＵとＩＤボックスとの間で認証を行うことなく、電気機器、電気自動車に給電をすることができる。【００１２】  その結果、電気の盗難を低減するとともに、電気自動車および電気機器の両方が使用できる屋外用コンセントを提供することができる。【００１３】  請求項２に記載の発明では、請求項１において、電路開閉手段がリミットスイッチであることを特徴とする。【００１４】  これによれば、充電制御ＥＣＵとＩＤボックスとの間で認証を行う充電システムに比べ、簡単な構造で盗電を防止することができる。【００１５】  請求項３に記載の発明では、プラグを抜き差しするプラグ受けと、  プラグ受けに給電する電路の途中に設けられて電路を接続／遮断する電路開閉手段と、  電路開閉手段を制御する制御装置と、  所定の鍵と、  所定の鍵を差し込んで第１の錠位置および第２の錠位置のいずれかに切り換えた際に可動する可動部と、  可動部の所定部分を検出して第２の錠位置であることを検出する錠位置検出センサと、を備えており、  錠位置検出センサが第２の錠位置であることを検出した場合には、電路を遮断してプラグ受けへの給電を停止するように、制御装置が継電器を制御することを特徴とする。【００１６】  これによれば、継電器を用いて盗電を防止することができる。
【図面の簡単な説明】
【００１７】
【図１】本発明の第１実施形態による屋外用コンセントの正面図である。
【図２】図１のA−A断面図である。
【図３】図１のＤ方向矢視図である。
【図４】図１のＢ−Ｂ断面図である。
【図５】本発明の第１実施形態によるキースイッチの側面図である。
【図６】図５のＥ方向矢視図である。
【図７】遮断時の図５のＦ方向から視た矢視図である。
【図８】通電時の図５のＦ方向から視た矢視図である。
【図９】本発明の第１実施形態による屋外用コンセントの回路図である。
【図１０】本発明の第２実施形態による屋外用コンセントの正面図である。
【図１１】本発明の第２実施形態による屋外用コンセントの回路図である。
【図１２】本発明の第３実施形態による屋外用コンセントの回路図である。
【図１３】本発明の第４実施形態による屋外用コンセントの回路図である。
【発明を実施するための最良の形態】
【００１８】（第１実施形態）   以下、この発明の実施形態を図面に基づいて説明する。図１は、第１実施形態による屋外用コンセントを示す正面図である。図２は、図１のＡ−Ａ断面図を、図３は、図２のＤ方向矢視図を、図４は、図１のＢ−Ｂ断面図を示す。【００１９】  屋外用コンセント１１は、図１、図２に示すように、取付板１３、防水パッキン１５、コンセント本体部１７を備えている。取付板１３は、図２に示すように、壁１９に固定される。防水パッキン１５は、取付板１３と後述するコンセント本体部１７との間に配置され、コンセント本体部１７と、防水パッキン１５との間から雨滴が侵入するのを防止する。コンセント本体部１７は、防水パッキン１５とともに、上述した取付板１３に固定される。【００２０】  上述したコンセント本体部１７には、図示しない係止手段により、プラグ受け部３１が係止されている。このプラグ受け部３１には、電源プラグ差込口３１ａが形成されるとともに、２極プラグ受け３１ｂ、２極接地極付プラグ受け３１ｃが備えられている。２極プラグ受け３１ｂ、２極接地極付プラグ受け３１ｃは、本発明のプラグ受けを構成する。【００２１】  なお、上記２極接地極付プラグ受け３１ｃの接地極は、所定の金属板を介してアース端子部３３まで接続されており、アース端子部３３から接地をすることができる。上記プラグ受け部３１には、電源プラグ差込口３１ａの他に、給電線２１が差し込み接続される給電線差込口３１ｄが配備形成されている。【００２２】  また、コンセント本体部１７には、図４に示すように、穴部１７ｅが形成されており、上記穴部１７ｅに、キースイッチ３５が取り付けられている。【００２３】  キースイッチ３５は、鍵（キー）で電路のオン・オフを行うもので、図５乃至図８に示すように、錠前３７、取付板３９、ストッパーピン４１、４３、２つのリミットスイッチ４５を備えている。錠前３７は、第１実施形態では、シリンダー錠を用いており、外筒部３７ａ、内筒部３７ｂを備えている。なお、シリンダー錠の詳細については公知であるため、省略する。【００２４】  錠前３７の外筒部３７ａは、コンセント本体部１７の穴部１７ｅに取り付けられており、外筒部３７ａの屋外側端部３７ｃ、屋内側端部３７ｄのうち、屋内側端部３７ｄには取付板３９が取り付けられている。上記取付板３９には、ストッパーピン４１、４３、リミットスイッチ４５が取り付けられている。また、内筒部３７ｂの屋外側端部３７ｅ、屋内側端部３７ｆのうち、屋外側端部３７ｅには、キー４７を挿入する挿入口３７ｇが形成されている。【００２５】  また、内筒部３７ｂの略中央から屋内側端部３７ｆには、ストッパ４９、板カム５１が嵌合されている。キー４７を内筒部３７ｂに設けられた挿入口３７ｇに挿入し、内筒部３７ｂを回転させて遮断位置および通電位置を切り替えると、それに伴って板カム５１も回転する。上記通電位置は、本発明の第１の錠位置を構成する。上記遮断位置は、本発明の第２の錠位置を構成する。内筒部３７ｂ、板カム５１は本発明の可動部を構成する。【００２６】  上記遮断位置は、図６の紙面上方から見て、キー４７の切り欠き部４７ａが、原点Ｏから見てＹ方向にある場合であり、上記通電位置は、��４の紙面上方から見て、キー４７の切り欠き部４７ａが、原点Ｏから見てＸ方向にある場合である。上記遮断位置、上記通電位置では、キー４７を抜き差しすることができる。【００２７】  ストッパーピン４１、４３は、それぞれストッパ４９の切り欠き部４９ａ、４９ｂに突き当てて、揺動角θ以上に揺動させないものである。【００２８】  また、板カム５１は、上記錠前３７が通電位置にある場合、リミットスイッチ４５の検出子４５ａを押し込むように形成されている。【００２９】  リミットスイッチ４５は、検出子４５ａと、コモンポート４５ｂ、ノーマルオープンポート４５ｃ、ノーマルクローズポート４５ｄの３つの端子を備えている。上記リミットスイッチ４５は、遮断位置にてコモンポート４５ｂとノーマルクローズポート４５ｄとが繋がるように構成されており、通電位置にてコモンポート４５ｂとノーマルオープンポート４５ｃとが繋がるように構成されている。上記ノーマルクローズポート４５ｄは、絶縁テープ、絶縁チューブ等により絶縁処理がなされている。リミットスイッチ４５は本発明の電路開閉手段を構成する。【００３０】  次に、屋外用コンセント１１の回路について説明する。なお、２極プラグ受け３１ｂ側の給電線差込口３１ｄに配設された２つの端子のうち、一方を第１の端子３１ｅ、他方を第２の端子３１ｆと称するものとする。２極接地極付プラグ受け３１ｃは、図１０図９に示すように、コンセント本体部１７内で２極プラグ受け３１ｂと並列接続されている。【００３１】  図８に示すように、商用電源が主配線用遮断器５３に供給され、子配線用遮断器５５に単層電源が供給される。子配線用遮断器５５は、屋外用コンセント１１用に設けた過負荷時電路遮断手段である。さらに、子配線用遮断器５５から供給された２本の給電線２１が、リミットスイッチ４５のコモンポート４５ｂに接続されている。さらに、２つのリミットスイッチ４５のうち、一方のノーマルオープンポート４５ｃと２極プラグ受け３１ｂの第１の端子３１ｅとの間が、給電線５７によって接続されている。また、２つのリミットスイッチ４５のうち、他方のノーマルオープンポート４５ｃと２極プラグ受け３１ｂの第２の端子３１ｆとの間が、給電線５７によって接続されている。【００３２】  リミットスイッチ４５の作動について説明する。上記構成において、キー４７を内筒部３７ｂに設けられた挿入口３７ｇに挿入し、内筒部３７ｂを回転させて遮断位置から通電位置に切り替えると、板カム５１がリミットスイッチ４５の検出子４５ａを押し込む。その際、２つのリミットスイッチ４５Ａのコモンポート４５ｂと、ノーマルオープンポート４５ｃが繋がって電源から２極プラグ受け３１ｂ、２極接地極付プラグ受け３１ｃに至る電路が閉となる。その結果、電源プラグＰ側に給電することができる。【００３３】  また、キー４７を内筒部３７ｂに設けられた挿入口３７ｇに挿入し、内筒部３７ｂを回転させて通電位置から遮断位置に切り替えると、板カム５１がリミットスイッチ４５の検出子４５ａの押し込みを止め、検出子４５ａが復帰状態に戻る。その際、電源から２極プラグ受け３１ｂ、２極接地極付プラグ受け３１ｃに至る電路が閉となり、給電を停止する。【００３４】  上��構成によれば、錠前３７の挿入口３７ｇにキー４７を挿入し、通電位置にすると、電源プラグ差込口３１ａに給電がなされる。また、遮断位置にすると、電源プラグ差込口３１ａへの給電が遮断される。第１実施形態の場合、キースイッチ３５を遮断位置にしておくことで、盗電を低減することができる。また、キー４７で通電、遮断を行うので、従来技術のように、充電制御ＥＣＵとＩＤボックスとの間で認証を行うことなく、電気機器、電気自動車に給電をすることができる。【００３５】  その結果、電気の盗難を低減するとともに、電気自動車および電気機器の両方が使用できる屋外用コンセントを提供することができる。【００３６】（第２実施形態）  第１実施形態では、コンセント本体部に、プラグ受け部が収容されるとともに、キースイッチが固定されていたが、コンセント本体部とスイッチボックスを設け、コンセント本体部にコンセント本体部を収容し、スイッチボックスにキースイッチを固定してもよい。【００３７】  図１０に示すように、コンセント本体部１７にプラグ受け部３１を収容するとともに、スイッチボックス６７にキースイッチ３５を固定するようにした。上記コンセント本体部１７、スイッチボックス６７は、図示はしないが、第１実施形態のスイッチボックスと同様に、防水パッキンを挟んで、壁に取り付けられた取付板に固定する。スイッチボックス６７は、コンセント本体部１７にプラグＰを抜き差しすることが視認できる位置に固定されることが望ましい。図１１に、第２実施形態の回路図を示す。【００３８】（第３実施形態）  第１実施形態では、給電線の途中にリミットスイッチを設け、鍵を錠前に設けられた挿入口に挿入し、内筒部を回転させて遮断位置、通電位置を切り替え、これに応じてプラグ受けへの通電、通電の遮断を行ったが、第３実施形態のように、リミットスイッチに換えて、継電器を設け、遮断位置であることを検出して、コンセント本体部への給電を停止するようにしてもよい。【００３９】  図１２に示すように、継電器６３、継電器６３を制御する制御装置６１、錠位置検出センサ６５を設ける。第１実施形態で説明したキースイッチには、同じく第１実施形態で説明したリミットスイッチ４５を設けずに、継電器６３からの給電線２１をプラグ受け部３１の給電線差込口３１ｄに接続するようにする。【００４０】  錠位置検出センサ６５により、板カム５１が遮断位置にあることを検出すると、制御装置６１が子配線遮断器５５と、コンセント本体部１７との間で電路を遮断するように、継電器６３を制御する。【００４１】  上記構成によれば、継電器を用いて盗電を防止することができる。【００４２】（第４実施形態）  第３実施形態では、コンセント本体部に、プラグ受け部が収容されるとともに、キースイッチが固定されていたが、コンセント本体部とスイッチボックスを設け、コンセント本体部にコンセント本体部を収容し、スイッチボックスにキースイッチを固定してもよい。【００４３】  コンセント本体部１７にプラグ受け部３１を収容するとともに、スイッチボックス６７にキースイッチ３５を固定するようにした。上記コンセント本体部１７、スイッチボックス６７は、図示はしないが、第１実施形態のスイッチボックスと��様に、防水パッキンを挟んで、壁に取り付けられた取付板に固定する。図１３に、第４実施形態の回路図を示す。【００４４】（その他の実施形態）  上述したキースイッチの錠前は、シリンダー錠でなくともよい。例えば、電子キーであってもよい。【００４５】  また、屋外用コンセントに供給する電力は、太陽光で発電した電力を用いてもよい。
【符号の説明】
【００４６】１１・・・ 屋外用コンセント１３・・・取付板１７・・・コンセント本体部１９・・・壁２１・・・給電線３１・・・プラグ受け部３１ａ・・・電源プラグ差込口３１ｂ・・・２極プラグ受け３１ｃ・・・２極接地極付プラグ受け３１ｄ・・・給電線差込口３１ｅ・・・第１の端子３１ｆ・・・第２の端子３３・・・アース端子部３５・・・キースイッチ３７・・・錠前３７ａ・・・外筒部３７ｂ・・・内筒部３７ｃ・・・屋外側端部３７ｄ・・・屋内側端部３７ｅ・・・屋外側端部３７ｆ・・・屋内側端部３７ｇ・・・挿入口３９・・・取付板４１・・・ストッパーピン４３・・・ストッパーピン４５・・・リミットスイッチ４５ａ・・・検出子４５ｂ・・・コモンポート４５ｃ・・・ノーマルオープンポート４５ｄ・・・ノーマルクローズポート４７・・・キー４７ａ・・・切り欠き部４９・・・ストッパ４９ａ・・・切り欠き部４９ｂ・・・切り欠き部５１・・・板カム５７・・・給電線６１・・・制御装置６３・・・継電器６５・・・錠位置検出センサ６７・・・スイッチボックスＰ・・・電源プラグθ・・・揺動角
【手続補正４】
【補正対象書類名】図面
【補正対象項目名】全図
【補正方法】変更
【補正の内容】
【図１】
2011008947.tif 000001
【図２】
2011008947.tif 000002
【図３】
2011008947.tif 000003
【図４】
2011008947.tif 000004
【図５】
2011008947.tif 000005
【図６】
2011008947.tif 000006
【図７】
2011008947.tif 000007
【図８】
2011008947.tif 000008
【図９】
2011008947.tif 000009
【図１０】
2011008947.tif 000010
【図１１】
2011008947.tif 000011
【図１２】
2011008947.tif 000012
【図１３】
2011008947.tif 000013